(57)【要約】【課題】本発明の課題は、クリップが外れる、患者が外すことに対応してこれに対してもナースコールが対応動作をする患者動き検出装置を提供することである。【解決手段】本発明の患者動き検出装置は、クリップの外れとバーの引き抜きのどちらも検出するように、クリップに電極をつけ、電極から導電ワイヤを介して検出装置に内蔵したバーの引き抜き用検出スイッチに並列に接続して、バーの引き抜きでは、引き抜き用スイッチが導通／非導通し、クリップのはずれでは、並列の接続回路でクリップの両電極の導通／非導通にするように、クリップに接続したバーまでの紐より、クリップから並列の接続点または、検出装置の筐体に付けたコネクタまでの導電ワイヤの長さを実質的に長く構成することでクリップの外れの検出も可能にしたことを特徴とする。【選択図】図１
2013074965.tif 000002
【特許請求の範囲】
【請求項１】
患者の動きをバーの引き抜きにより検出してナースコール装置を応答させるための子機であって、スイッチ回路とバー患者連結具を有し、前記バー患者連結具は、前記患者の衣服等につけるクリップと、バーを有し、前記スイッチ回路は、これを内蔵する筐体と、前記筐体に備えられた前記バーを挿抜する挿抜穴と、前記バーが前記挿抜穴に挿入した状態と抜きだした状態で導通と非導通状態が変わるスイッチと、前記スイッチに直列に接続し回路が使用しない状態において回路を切っておくためのものであって、これをＯＮ／ＯＦＦして導通／非導通状態を変えるための手動ノブを前記筐体の表面に備えたメインスイッチと、前記スイッチと前記メインスイッチの直列回路の両端をナースコールに接続するための第一のコネクタとを有し、
前記クリップは、一方が他方に対して回転可能に軸支され、前記衣服等を挟みこむための互いに向き合った二つの板と、挟み込み又はその解除において前記板を戻すための復元体と、前記板の両方に備えられた互いに向き合い、前記挟み込み又はその解除により接触又は離間することで導通又は非導通状態となる対の電極とを有し、前記対の電極から導電ワイヤを引き伸ばし、第二のコネクタを介して前記スイッチの端子に並列に接続し、前記バーには、これに結節した紐があり、前記紐の前記バーから遠いほうの端を、前記クリップか又は、前記導電ワイヤの前記第二のコネクタに近い途中に接続し、その接続箇所から前記第二のコネクタまでの前記導電ワイヤの長さをその接続箇所からの前記バーまでの前記紐と前記バーの長さの合計より大きくし、患者の動きによる前記バーの引き抜きと前記クリップの前記対の電極の導通又は非導通状態により前記クリップの外れとを検出することを可能としたことを特徴とする患者動き検出装置。
【請求項２】
前記接続箇所から前記第二のコネクタまでの前記導電ワイヤを伸縮する巻き線で構成し、伸ばした状態では、前記接続箇所からの前記バーまでの前記紐と前記バーの長さの合計より大きくしたことを特徴とする請求項１記載の患者動き検出装置。
【請求項３】
前記クリップの一方の板の他方の板と向き合う面とは反対側の面と、前記他方の板から前記反対側の面を超える位置に延設部を設け、前記延設部の間に前記対の電極を有するようにしたことを特徴とする請求項１又は請求項２記載の患者動き検出装置。
【請求項４】
前記一方の板の他方の板と向き合う面とは反対側の面と前記向き合う面の両方に電極を設け両者を電気的に接続して前記対の電極の一方を形成し、これを共通の前記導電ワイヤに接続したことを特徴とする請求項３記載の患者動き検出装置。
【発明の詳細な説明】
【技術分野】
【０００１】
本発明は、病院や介護施設等で通常では動くことが危険な患者等が動いたことを検出し、ナースコール等に連動して報知するための患者動き検出装置に関するものである。
【背景技術】
【０００２】
従来のこの種の患者動き検出装置は、患者が動くと患者に取り付けられた紐が引かれ、スイッチがはいるという引き抜き方式の装置が多く提案されている。
特許文献１では、引き抜き方式のナースコールスイッチが提案されている。スイッチを押す代わりに板状体を引き抜くと、スイッチが入るようになっている。
特許文献２では、やはり、棒状体のものが引き抜かれることでナースコールスイッチが入るものであるが、引き抜きの方向によって引き抜きに差異がないような仕掛けをしている。
特許文献３では、やはり板状体を引き抜きすることで、親機のナースコールのスイッチが入るようになっている。図３にこれを示す。ナースコール装置の子機である患者動き検出装置３００は、スイッチ回路３１０とバー患者連結具３２０からなっている。バー患者連結具３２０は、患者の衣服等につけるクリップ３２１とこれとバー３２２を結ぶ紐３２３からなり、バー３２２は、引き抜きを検出するための板状体または棒状体である。
スイッチ回路３１０は、筐体３１１の面にバー３２２を出し入れするバー穴３１２があり、ここにバー３２２を入れるとスイッチ３１３が非導通または導通に、引き出すと逆に導通または非導通になる。このスイッチ３１３に直列にこの回路が使用しない状態において回路を切っておくためのメインスイッチ３１４があって、筐体３１１の表面に手動の操作部が配置されている。更に、図のようにスイッチ３１３とメインスイッチ３１４を含む両端の電極は、コネクタ３１５として外部に導出され、親機のナースコールの回路に接続していて、スイッチ３１３の非導通または導通を検知し警報を鳴らすようになっている。
【０００３】
以上のどの提案も引き抜きによる患者動き検出装置である。簡単な構成で検出が可能であるが、実際の医療現場では、以下の問題が発生してその欠点があることが露見している。
即ち、棒状体または板状体に付いた紐の先には患者の衣服等に取り付けるクリップがあるが、これが先に外れる、患者が外すなどして、患者が動いているにも関わらず棒状体または板状体が引き抜かれることがないため、ナースコールのブザーがならないという不具合があった。
【先行技術文献】
【特許文献】
【０００４】
【特許文献１】特開２００６−３０５２５９
【特許文献２】特開２００４−３１３３１２
【特許文献３】特許第３６２９１９９号
【発明の概要】
【発明が解決しようとする課題】
【０００５】
本発明の課題は、上記のクリップが外れる、患者が外すことに対応してこれに対してもナースコールが対応動作をする患者動き検出装置を提供することである。
【課題を解決するための手段】
【０００６】
本発明の患者動き検出装置は、クリップの外れと棒状体または板状体の引き抜きのどちらも検出するように、クリップのはずれを検出するようにクリップに電極をつけ、クリップから導電ワイヤを検出装置に内蔵した棒状体または板状体の引き抜き用スイッチに並列に接続して、棒状体または板状体の引き抜きでは、引き抜き用スイッチが導通／非導通（オン／またはオフ）し、クリップのはずれに対応しては、並列の接続回路でクリップの両電極の導通／非導通にするように、クリップに接続した棒状体または板状体までの紐より、クリップから並列の接続点または、検出装置の筐体に付けたコネクタまでの導電ワイヤの長さを実質的に長く構成することでクリップの外れの検出も可能にしたことを特徴とする。以下、請求項に沿って説明する。
【０００７】
請求項１記載の発明は、患者動き検出装置であって、患者の動きをバーの引き抜きにより検出してナースコール装置を応答させるための子機であって、スイッチ回路とバー患者連結具を有し、前記バー患者連結具は、前記患者の衣服等につけるクリップと、バーを有し、前記スイッチ回路は、これを内蔵する筐体と、前記筐体に備えられた前記バーを挿抜する挿抜穴と、前記バーが前記挿抜穴に挿入した状態と抜きだした状態で導通と非導通状態が変わるスイッチと、前記スイッチに直列に接続し回路が使用しない状態において回路を切っておくためのものであって、これをＯＮ／ＯＦＦして導通／非導通状態を変えるための手動ノブを前記筐体の表面に備えたメインスイッチと、前記スイッチと前記メインスイッチの直列回路の両端をナースコールに接続するための第一のコネクタとを有し、
前記クリップは、一方が他方に対して回転可能に軸支され、前記衣服等を挟みこむための互いに向き合った二つの板と、挟み込み又はその解除において前記板を戻すための復元体と、前記板の両方に備えられた互いに向き合い、前記挟み込み又はその解除により接触又は離間することで導通又は非導通状態となる対の電極とを有し、前記対の電極から導電ワイヤを引き伸ばし、第二のコネクタを介して前記スイッチの端子に並列に接続し、前記バーには、これに結節した紐があり、前記紐の前記バーから遠いほうの端を、前記クリップか又は、前記導電ワイヤの前記第二のコネクタに近い途中に接続し、その接続箇所から前記第二のコネクタまでの前記導電ワイヤの長さをその接続箇所からの前記バーまでの前記紐と前記バーの長さの合計より大きくし、患者の動きによる前記バーの引き抜きと前記クリップの前記対の電極の導通又は非導通状態により前記クリップの外れとを検出することを可能としたことを特徴とする。
【０００８】
請求項２記載の発明は、請求項１記載の患者動き検出装置において、前記接続箇所から前記第二のコネクタまでの前記導電ワイヤを伸縮する巻き線で構成し、伸ばした状態では、前記接続箇所からの前記バーまでの前記紐と前記バーの長さの合計より大きくしたことを特徴とする。
【０００９】
請求項３記載の発明は、請求項１又は請求項２記載の患者動き検出装置において、前記クリップの一方の板の他方の板と向き合う面とは反対側の面と、前記他方の板から前記反対側の面を超える位置に延設部を設け、前記延設部の間に前記対の電極を有するようにしたことを特徴とする。
【００１０】
請求項４記載の発明は、請求項３記載の患者動き検出装置において、前記一方の板の他方の板と向き合う面とは反対側の面と前記向き合う面の両方に電極を設け両者を電気的に接続して前記対の電極の一方を形成し、これを共通の前記導電ワイヤに接続したことを特徴とする。
【発明の効果】
【００１１】
以上の様に構成されているので、本発明の患者動き検出装置は、クリップの外れとバーの引き抜きの両方を検出可能であるので、望まれざる患者自体の取り外しや緩みによるクリップ外れにも対応ができる。
【図面の簡単な説明】
【００１２】
【図１】本発明による患者動き検出装置の一実施態様を示す図である。
【図２】本発明による患者動き検出装置に用いる電極付のクリップの一実施態様を示す図である。
【図３】従来の患者動き検出装置を説明する図である。
【発明を実施するための形態】
【００１３】
本発明による患者動き検出装置は、クリップの外れとバーの引き抜きのどちらも検出するように、クリップに電極をつけ、電極から導電ワイヤを介して検出装置に内蔵したバーの引き抜き用検出スイッチに並列に接続して、バーの引き抜きでは、引き抜き用スイッチが導通／非導通し、クリップのはずれでは、並列の接続回路でクリップの両電極の導通／非導通にするように、クリップに接続したバーまでの紐より、クリップから並列の接続点または、検出装置の筐体に付けたコネクタまでの導電ワイヤの長さを実質的に長く構成することでクリップの外れの検出も可能にしたことを特徴とする。
以下、実施例を用い説明する。
【００１４】
図１は、本発明による患者動き検出装置の一実施態様を示す図である。
１−Ａにおいて、ナースコール装置の子機である患者動き検出装置１００は、スイッチ回路１１０とバー患者連結具１２０を有している。バー患者連結具１２０は、患者の衣服等につけるクリップ１２１とこれとバー１２２を結ぶ紐１２３を有し、更に、クリップ１２１は、クリップの状態によって導通と非導通になる互いに向き合った対の電極を有している。バー１２２は、引き抜きを検出するための板状体または棒状体である。
スイッチ回路１１０は、筐体１１１の面にバー１２２を出し入れするバー穴１１２があり、ここにバー１２２を入れるとスイッチ１１３が非導通または導通に、引き出すと逆に導通または非導通になる。さらに電極から導かれた導電ワイヤ１２４がスイッチ回路１１０の筐体１１１についた第二のコネクタ１１６を介してスイッチ１１３に並列に接続している。
スイッチ１１３と導電ワイヤ１２３の並列接続した回路に直列にこの回路が使用しない状態において回路を切っておくためのメインスイッチ１１４があって、筐体１１１の表面に手動の操作部が配置されている。更に、図のようにスイッチ１１３と導電ワイヤ１２４、メインスイッチ１１４を含む回路は、第一のコネクタ１１５を介して外部に導出され、親機のナースコールの回路に接続していて、スイッチ１１３または対の電極の非導通または導通を検知し警報を鳴らすようになっている。導電ワイヤ１２４は、線材が絶縁被服材でカバーされている。
紐１２３と導電ワイヤ１２４の構成として、各種の形を取ることができる。
一つ目は、両者を全く別個のものとして構成する場合であり、紐１２３よりクリップ１２１から第二のコネクタ１１６までの導電ワイヤ１２４の長さを長くする。又は、導電ワイヤ１２４を巻いた状態で伸縮自在にした場合は、伸びた状態で長くなるようにする。
二つ目は、両者を兼用して構成した場合は、クリップ１２１からは、導電ワイヤ１２４のみを引き出し紐代わりにし、導電ワイヤ１２４を第二のコネクタ１１６に接続するが、導電ワイヤ１２４の途中から引き出した接続紐でバー１２２へ接続する。この場合、導電ワイヤ１２４の途中から引き出した接続点から第二のコネクタ１１６への導電ワイヤ１２４の長さを引き出した接続紐より十分長くする。又は、導電ワイヤ１２４を巻いた状態で伸縮自在にした場合は、伸ばした状態で長くなるようにする。このようにすると、導電ワイヤ１２４又は紐１２３が引かれた場合に効果的にバー１２２を引き出すことができる。
１−Ａにおいては、二つ目の構成の場合の例を示していて、兼用の場合である。
更に、バー１２２とスイッチ１１３の動作は、１−Ｂにおいて、対の電極と導電ワイヤは、
図２において詳述する。
【００１５】
１−Ｂにおいて、バー１２２とスイッチ１１３の動作は以下のようである。
上下の２枚の板１１７が適当な隙間を有して存在し、これがばね板１１８に支えられている。隙間にバー１２２を挿入した状態では、バー１２２に板１１７が押し広げられて隙間が拡大し、板１１７についた第一の対の電極１１９が離れて非導通の状態にある。これが下に示す状態である。上に示すようにバー１２２を引き出すと、ばね板１１８の復元により板１１７の隙間が狭まって第一の対の電極１１９が接触して導通の状態となる。
第一の対の電極１１９は、スイッチ１１３の二つの電極（端子）に対応している。従って、
第一の対の電極１１９は、１つは、１−Ａの第一のコネクタ１１５へ接続し、他方は、メインスイッチ１１４に接続している。
【００１６】
図２は、本発明による患者動き検出装置に用いる電極付のクリップの一実施態様を示す図である。２−Ａにおいて、クリップは、互いに向き合った上板２０１と下板２０２があり、クリップ先端２０３は、衣服等を挟んだとき抜けにくいように突起２０４を有している。はさみ行動を行うためのノブ２０５があって、これが下板２０２から立ち上がった    
係止片２０６に回転可能に軸支され、ノブ２０５を左回転すると、ノブ２０５についた突出部２０７が上板２０１を下側に押して上板２０１が下がり、クリップ先端２０３が衣服等を挟みこむようになる。上板２０１と下板２０２には各々、互いに向き合った第二の対の電極２０８が備えられているので、衣服等が挟まっている場合は、第二の対の電極２０８間の導通状態は非導通であり、衣服等が挟まってない場合は、導通状態となる。
従って、２−Ａにおいては、挟んだ状態で衣服が抜けてしまった場合は、第二の対の電極２０８間の導通状態は導通状態となり、第二の対の電極２０８は、導電ワイヤ１２４を介して、図１の１−Ａの第二のコネクタ１１６を通じ、スイッチ１１３に並列接続される。このため、バー１２２が抜けていなくて、スイッチ１１３が非導通でも回路は導通状態になり、ナースコール親機でブザーを鳴らすなどの動作を行うことになる。
【００１７】
２−Ｂにおいて、２−Ａとの違いを強調すると、上板２０１には延設部に上側に向いて電極が備えられ、下板２０２から上側に延設した電極保持片２０９にはこの電極と向き合った電極があって、両者が第三の対の電極２１０をなしている。ノブ２０５を右に回転すると、突出部２０７が上板２０１を押さなくなるので、上板２０１は、これについたバネ板の復元により上側に上がって、クリップ先端２０３が開き、挟みこみが解除される。このとき、第三の対の電極２１０は接触して導通状態になる。ノブ２０５に触って患者が意図的に開きクリップ１２１を外そうとした場合には、第三の対の電極２１０が導通状態になるので、導電ワイヤ１２４により、第二のコネクタ１１６を介して、スイッチ１１３に並列接続することで、回路は導通状態になりナースコール親機でブザーを鳴らすことができる。
勿論、この場合は、通常使用しない状態では、第三の対の電極２１０は接触して導通状態であるため、メインスイッチ１１４を切っておく必要がある。バー１２２を挿入し、クリップ１２１を衣服等に装着してから最後にメインスイッチ１１４を入れることが必要である。
【００１８】
２−Ｃにおいては、図に見るように２−Ａと２−Ｂの両方の電極を備えている場合であり、
動作の説明は、同じなので省略する。２−Ａと２−Ｂの両方の電極は、同時には導通しないので、上板２０１に付いた電極を接続し、下板２０２に付いた電極と下板２０２から上側に延設した電極保持片２０９に付いた電極を接続して、両者から導電ワイヤ１２４を引き出してもよく、２−Ｃにおいてはそのような配線状態になっている。
【００１９】
２−Ｄには、洗濯はさみタイプのクリップを示している。これも、本発明の患者動き検出装置のクリップとして使用できる。洗濯はさみはよく知られているので、動作の説明は要しないであろう。これにも対の電極が備えられ、導電ワイヤで引き出されている。
上記のクリップとの違いは、外された状態は、クリップが閉じるため、対の電極同士が導通状態になることである。
【産業上の利用可能性】
【００２０】
以上のように本発明に係る患者動き検出装置では、クリップを引くことによるバーの抜け以外にクリップの衣服等からの抜け、意図的なクリップの解除をも検出できるので、親機のナースコールを確実に動作させることが可能になるので、産業上利用性が極めて大きい。
【符号の説明】
【００２１】
１００、３００  患者動き検出装置
１１０、３１０  スイッチ回路
１１１、３１１  筐体
１１２、３１２  バー穴
１１３、３１３  スイッチ
１１４、３１４  メインスイッチ
１１５  第一のコネクタ
１１６  第二のコネクタ
１１７  板
１１８  ばね板
１１９  第一の対の電極
１２０、３２０  バー患者連結具
１２１、３２１  クリップ
１２２、３２２  バー
１２３  紐
１２４  導電ワイヤ
２０１  上板
２０２  下板
２０３  クリップ先端
２０４  突起
２０５  ノブ
２０６  係止片
２０７  突出部
２０８  第二の対の電極
２０９  電極保持片
２１０  第三の対の電極
３１５  コネクタ  
【図１】
2013074965.tif 000003
【図２】
2013074965.tif 000004
【図３】
2013074965.tif 000005